(57)【要約】【課題】小型かつ簡易にガイドローラを回転・制動可能なガイドローラ洗浄方法および装置を提供する。【解決手段】ガイドローラ２０の軸芯からＬだけオフセットした位置に膨縮パッド３０Ａ、３０Ｂを２個以上配置する。膨縮パッド３０Ａ、３０Ｂは、ガイドローラ２０を弾圧する面にゴムシート３２を装着し、内部に空気を供給・排出することによりガイドローラ２０との接離を行う。膨縮パッド３０Ａに空気を充填すると、ガイドローラ２０は回転モーメントが発生して回転する。膨縮パッド３０Ａを離反させると同時にパッドＢを弾圧すると、ガイドローラ２０は連続して回転モーメントが発生する。膨縮パッド３０Ａ、３０Ｂを交互に膨縮させることによりガイドローラ２０を強制回転させる。膨縮パッド３０Ａ、３０Ｂに空気が充填された状態を保持すると、ガイドローラ２０は強制制動がなされる。【選択図】　図１
2004058600.tif 000002
【特許請求の範囲】
【請求項１】
洗浄液を含浸させた印刷ウェブとガイドローラとを接触させ洗浄をなすガイドローラの洗浄方法であって、弾性力を有した弾圧手段により前記ガイドローラの外周面を弾圧付勢し、前記ガイドローラを制動もしくは低速回転状態となすことにより印刷ウェブとの接触状態を変化させて払拭洗浄することを特徴とするガイドローラ洗浄方法。
【請求項２】
前記弾性手段による弾圧付勢方向は前記ガイドローラの中心からオフセットさせ前記ガイドローラに回転モーメントを与えるようにしてなることを特徴とする請求項１に記載のガイドローラ洗浄方法。
【請求項３】
前記弾性手段は空気膨縮パッドにより構成されていることを特徴とする請求項１に記載のガイドローラ洗浄方法。
【請求項４】
洗浄液を含浸させた印刷ウェブとガイドローラとを接触させ洗浄をなすガイドローラの洗浄方法であって、弾性力を有した少なくとも２個以上の弾圧手段により、前記ガイドローラの中心からオフセットさせた位置にて交互または同時に弾圧付勢することにより前記ガイドローラに回転モーメントを与え、前記ガイドローラと印刷ウェブとの接触状態を変化させて払拭洗浄することを特徴とするガイドローラ洗浄方法。
【請求項５】
ガイドローラの軸芯に対してオフセット配置された弾性手段を有し、前記ガイドローラを弾圧付勢することにより前記ガイドローラを制動させる位置に前記弾性手段を駆動させ前記ガイドローラに接離可能とする手段を設け、当該手段により前記弾性手段を前記ガイドローラに弾圧付勢可能としたことを特徴とするガイドローラ洗浄装置。
【請求項６】
ガイドローラの軸芯に対してオフセット配置された位置にて前記ガイドローラを押圧可能な膨縮パッドを有し、この膨縮パッドに膨縮空気の給排制御をなす膨縮手段を設け、当該膨縮手段により前記膨縮パッドを前記ガイドローラに接離させて制動もしくは低速回転させることを特徴とするガイドローラ洗浄装置。
【請求項７】
ガイドローラの軸芯に対してオフセット配置された位置にて前記ガイドローラを押圧可能な２個以上の膨縮パッドを有し、この膨縮パッドに膨縮空気の給排制御をなす膨縮手段を設け、当該膨縮手段により前記膨縮パッドを前記ガイドローラに交互または同時に弾圧可能としたことを特徴とするガイドローラ洗浄装置。
【発明の詳細な説明】
【０００１】
【発明の属する技術分野】
本発明は、オフセット輪転機における印刷ウェブの搬送を案内するガイドローラに付着した異物を除去するガイドローラ洗浄装置であって、洗浄液を含浸させた印刷ウェブを走行させて洗浄を行うガイドローラの挙動制御を行うガイドローラ洗浄方法および装置に関する。
【０００２】
【従来の技術】
新聞印刷機などで印刷ウェブを案内するために、多数のガイドローラを要している。これらのガイドローラの表面には、インキカスや紙粉などの異物が付着しやすく、このようなガイドローラ表面に付着した異物が再び印刷ウェブに転写され、印刷ウェブの汚れを引き起こすこともある。そこで、印刷ウェブを汚さないようガイドローラを洗浄する必要がある。
【０００３】
ガイドローラの洗浄は、洗浄液を含浸させた印刷ウェブを走行させ、当該印刷ウェブがガイドローラの表面を払拭して行っている。しかし、ガイドローラは、摩擦による印刷ウェブの破損を防ぐため、自由回転するよう設計されており、印刷ウェブの走行に対して連れ回りする構造になっている。そこで、特開昭６２−１４９４４９号公報に開示されているように、ガイドローラを強制回転・制動させる機構を設けて、印刷ウェブとの間に速度変化を持たせることでガイドローラの表面を印刷ウェブにより払拭している。これにより、ガイドローラと印刷ウェブとが摺動し、洗浄液を含浸させた印刷ウェブにガイドローラの汚れを転写させて洗浄を行っている。
【０００４】
ガイドローラの強制回転・制動は、ガイドローラに歯車を設けてこれを駆動用歯車に噛み合わせ、この駆動歯車の回転を制御することにより行う。駆動歯車を用いた機構の場合、印刷時にはガイドローラに取り付けた歯車から駆動歯車を離反させ、ガイドローラをフリーの状態として印刷ウェブの走行方向に連れ回り可能としている。すなわち、駆動歯車にはガイドローラに対する着脱を行う着脱駆動手段が設けられ、印刷中には駆動歯車をガイドローラに装着した歯車から退避させ、洗浄時に歯車同士を噛み合わせるよう制御を行っている。
【０００５】
【発明が解決しようとする課題】
ところで、上記のような歯車を用いた装置は、ガイドローラを強制駆動させるための歯車およびモータなどの駆動手段と、駆動歯車の着脱を行うための駆動手段と、併せて二種の駆動手段を必要としていた。しかし、印刷ウェブの搬送方向を案内するためのガイドローラは多数存在するため、複数あるガイドローラに対して逐一駆動手段を設置しなければならず、それを制御するための機構やシステムも複雑にならざるを得なかった。また、歯車を駆動させるモータなどをガイドローラの軸端に設ける構成となるために、重量の重い装置にならざるを得ない。さらに、駆動歯車と噛み合う歯車をガイドローラに装着するなど、ガイドローラ洗浄装置を取り付ける際に非常に手間のかかる構成となっている。
【０００６】
本発明は、上記課題を解決するために小型かつ簡易にガイドローラを回転・制動することの可能なガイドローラ洗浄方法および装置を提供することを目的としている。
【０００７】
【課題を解決するための手段】
上記課題を解決するために、本発明に係るガイドローラ洗浄方法は、洗浄液を含浸させた印刷ウェブとガイドローラとを接触させ洗浄をなすガイドローラの洗浄方法であって、弾性力を有した弾圧手段により前記ガイドローラの外周面を弾圧付勢し、前記ガイドローラを制動もしくは低速回転状態となすことにより印刷ウェブとの接触状態を変化させて払拭洗浄することを特徴としている。なお、前記弾性手段による弾圧付勢方向は前記ガイドローラの中心からオフセットさせ前記ガイドローラに回転モーメントを与えるようにすると良い。前記弾性手段は空気膨縮パッドにより構成することが可能である。
【０００８】
また、本発明に係るガイドローラ洗浄方法は、弾性力を有した少なくとも２個以上の弾圧手段により、前記ガイドローラの中心からオフセットさせた位置にて交互または同時に弾圧付勢することにより前記ガイドローラに回転モーメントを与え、前記ガイドローラと印刷ウェブとの接触状態を変化させて払拭洗浄することも可能である。
【０００９】
本発明に係るガイドローラ洗浄装置は、ガイドローラの軸芯に対してオフセット配置された弾性手段を有し、前記ガイドローラを弾圧付勢することにより前記ガイドローラを制動させる位置に前記弾性手段を駆動させ前記ガイドローラに接離可能とする手段を設け、当該手段により前記弾性手段を前記ガイドローラに弾圧付勢可能としたことを特徴としている。
【００１０】
また、本発明に係るガイドローラ洗浄装置は、ガイドローラの軸芯に対してオフセット配置された位置にて前記ガイドローラを押圧可能な膨縮パッドを有し、この膨縮パッドに膨縮空気の給排制御をなす膨縮手段を設け、当該膨縮手段により前記膨縮パッドを前記ガイドローラに接離させて制動もしくは低速回転させるものでも良い。
【００１１】
さらに、本発明に係るガイドローラ洗浄装置は、ガイドローラの軸芯に対してオフセット配置された位置にて前記ガイドローラを押圧可能な２個以上の膨縮パッドを有し、この膨縮パッドに膨縮空気の給排制御をなす膨縮手段を設け、当該膨縮手段により前記膨縮パッドを前記ガイドローラに交互または同時に弾圧可能とすることも可能である。
【００１２】
【作用】
上記構成により、弾性手段はガイドローラの軸芯をオフセットした位置に配置され、洗浄する際にガイドローラ表面に弾圧して摩擦抵抗を生じさせる。また、弾性手段がオフセット位置にて弾圧することにより、ガイドローラには弾圧方向に回転モーメントが発生し、弾性手段に押圧されながら回転する。また弾性手段をガイドローラに押圧し続けることにより、ガイドローラの強制制動を行うことが可能となる。また、少なくとも２個以上の弾性手段を、１本のガイドローラに対して設け、これらの膨縮パッドを交互に切り替えてガイドローラを弾圧することにより、ガイドローラの強制回転を継続して行うことが出来る。
【００１３】
【発明の実施の形態】
本発明に係るガイドローラ洗浄方法および装置の具体的実施の形態を、図面を参照して詳細に説明する。本実施の形態に係るガイドローラ洗浄装置の断面図および斜視図を図１に示す。
オフセット輪転機において、印刷ウェブ１４の搬送を案内するガイドローラ２０が複数配設されている。ガイドローラ２０は、胴長方向を印刷ウェブ１４の幅よりやや長めにした円筒形状にて形成し、両端にガイドローラ２０と軸芯を同一とする支持軸２２に回転自在に連結され、オフセット輪転機のフレームなどに取り付けられて固定される。
【００１４】
このようなガイドローラ２０には、ガイドローラ洗浄装置１０が装着される。ガイドローラ洗浄装置１０は、弾性手段である膨縮パッド３０Ａと、この膨縮パッド３０Ａを支持する支持部材１６と、膨縮パッド３０を膨縮させるための膨縮手段として圧縮空気を送り込むための圧力源であるポンプ４０および圧縮空気の流路を開閉する電磁弁４１と、その制御をなす制御部４６とから構成される。本実施形態では、２個の膨縮パッド３０を用いて交互にガイドローラ２０に接離させる構成である。膨縮パッド３０は、同種のものを２個使用して、それぞれの位置に配置すれば良い。以下に、本実施形態で用いられる膨縮パッド３０を説明する。
【００１５】
膨縮パッド３０は、ガイドローラ２０と接触する面に弾性力を有するゴムシート３２が用いられている。このゴムシート３２は、ゴムシート３２の内部が密閉空間となるように、直方体のパッドベース３４とその両側部に配置された板状のパッド押さえ３６とによって端部を保持されている。膨縮パッド３０は、ゴムシート３２に囲まれた密閉空間に空気を充填して膨縮させることにより、ガイドローラに接離可能とする。パッドベース３４に貫通孔を設けてこれに継手４２を連結し、外部に設置されたポンプ４０から空気を供給する。密閉空間に空気が充填されると、ゴムシート３２は膨張して、かまぼこ型の凸断面状の空間が形成される。膨縮パッド３０に供給される空気量および供給時間は、制御部４６によって制御される。
【００１６】
膨縮パッド３０Ａは、印刷ウェブ１４の走行を妨害しない位置に取り付けられる。たとえば、ガイドローラ２０に巻き掛けられた印刷ウェブ１４の端部より外側などに配置される。また、ガイドローラ２０の中心方向に対する膨縮パッド３０の位置は、ゴムシート３２の内部に空気を充填させた場合に膨張したゴムシート３２の円弧部がガイドローラ２０の表面を弾圧するように、かつ空気を排出させゴムシート３２を収縮させた場合にゴムシート３２がガイドローラ２０から離反するような位置とする。すなわち、膨縮パッド３０は、ゴムシート３２の膨縮により、ガイドローラに対して接離する構成である。ゴムシート３２が収縮してガイドローラ２０から離反すると、ガイドローラ２０は印刷ウェブに連れ回り可能となる。
【００１７】
また、膨縮パッド３０は、膨縮パッド３０をガイドローラ２０に弾圧した際に、ガイドローラ２０が印刷ウェブ１４に連れ回りして回転する方向に対して、逆方向の回転モーメントが発生する位置に配置される。図１（１）に示すように、印刷ウェブ１４が右から左へ走行している場合、すなわちガイドローラ２０が反時計回りに回転している場合に時計回りの回転モーメントが発生するように、ゴムシート３２が膨張した時にガイドローラ２０を押圧する作用点を、ガイドローラ２０の中心Ｏから軸芯を右側にＬだけオフセットした位置に配置して、膨縮パッド３０が取り付けられる。従って、膨縮パッド３０を膨張させてガイドローラ２０に弾圧すると、時計回りの回転が生じ、ガイドローラ２０は印刷ウェブ１４の走行方向に対して逆の回転が与えられることになる。このように、膨縮パッド３０をオフセットさせて配置したことにより、膨縮パッド３０の内部に空気が充填されてゴムシート３２が膨張した場合、ガイドローラ２０には、オフセット量Ｌと弾圧力Ｐとの積となる回転モーメントが発生する。すなわち、ガイドローラ２０は、膨縮パッド３０に押圧されながら弾圧される方向に回転する。
【００１８】
なお、ゴムシート３２は、弾性部材であることから、膨張する際にガイドローラ２０に押圧することで重なる部分を、ガイドローラ２０に合わせて変形させることができる。これにより、膨縮パッド３０はガイドローラ２０に密着しながら回転モーメントを付与することが可能となる。
【００１９】
本実施の形態では、このような膨縮パッド３０を１本のガイドローラ２０に対して２個設けている。２個の膨縮パッド３０の位置関係は、互いが干渉されずにゴムシート３２が膨縮できる位置であればよい。２個の膨縮パッド３０Ａ、３０Ｂへの空気の供給・排出は、制御部４６で制御されている。たとえば、膨縮パッド３０Ｂを収縮状態としながら膨縮パッド３０Ａに空気を供給して膨張させると、ガイドローラ２０がわずかに回転する。膨縮パッド３０Ａの膨張の頂点付近で、制御部４６によって空気供給の切替制御を行い、空気を膨縮パッド３０Ａから排出しつつ膨縮パッド３０Ｂに供給する。すなわち、膨縮パッド３０Ａに弾圧されて回転したガイドローラ２０は、今度は膨縮パッド３０Ｂに弾圧されて引き続き回転する。それぞれの膨縮パッド３０Ａ、３０Ｂによるガイドローラ２０の回転量はわずかであるが、これらの膨縮パッド３０Ａ、３０Ｂを交互に膨縮させ続けることにより、ガイドローラ２０には連続した回転が与えられる。従って、ガイドローラ２０の強制回転により、印刷ウェブ１４との間に速度差を生じさせることが可能となり、ガイドローラ２０と印刷ウェブとを摺り合わせて払拭洗浄することができる。
【００２０】
また、それぞれの膨縮パッド３０Ａ、３０Ｂは、内部に空気などの流体を充填した状態を保つことにより、ガイドローラ２０に押圧してブレーキの役割を果たすこともできる。ガイドローラ２０は、膨縮パッド３０が押圧した部分から摩擦抵抗を受け、回転が強制的に制動される。このような強制制動により、ガイドローラ２０と印刷ウェブ１４とを擦り合わせてガイドローラ２０の払拭洗浄をなすことも可能である。膨縮パッド３０による強制制動は、膨縮パッド３０Ａ、３０Ｂを同時に膨張させて行うと、より強い力でガイドローラ２０を制動できるが、どちらか一方の膨縮パッド３０を膨張させるだけでも制動力を充分に発揮することができる。
【００２１】
上述した膨縮パッド３０Ａ、３０Ｂは、支持部材１６を介してオフセット輪転機のフレームなどの固定部材に装着することが好ましい。本実施形態では、支持部材１６をガイドローラ２０の支持軸２２に固定している。膨縮パッド３０Ａ、３０Ｂは、これらを支持する支持部材１６を伸縮可能な構造に形勢することにより、ガイドローラ２０に対する配置位置を変えることが可能である。また図２（２）に示すようにガイドローラ２０と支持軸２２とを直接連結し、支持軸２２とフレームとの連結部に玉継手２４を取り付けている場合には、支持軸２２はガイドローラ２０とともに回転する構造であるため、支持部材１６を直接オフセット輪転機のフレームに装着すればよい。支持部材１６はボルトなどで固定し、ガイドローラ洗浄装置１０の着脱を簡易に行うことができるものとする。従って、装着が必要と思われるガイドローラ２０に対して、ガイドローラ洗浄装置１０を容易に後付で取り付けることが可能となる。
【００２２】
図３に本実施の形態に係るガイドローラ洗浄装置におけるパッドの動作の説明図を示す。印刷時など、ガイドローラ２０を自由回転させる場合には、同図（１）に示すようにパッドの内部の空気を排出して、ゴムシート３２がガイドローラから離反した状態にする。
【００２３】
次に、印刷を停止してガイドローラ２０の洗浄動作に入る。印刷ウェブ１４を走行させたまま、オフセット輪転機を緩動運転させ、図示しない洗浄液塗布手段により印刷ウェブ１４に間欠的に洗浄液の塗布を行う。従って、走行する印刷ウェブ１４には、洗浄液の含浸された部分と乾燥した部分とが交互に現れる。この時、同図（２）に示すように、パッド３０Ａの内部に空気を充填してゴムシート３２を膨張させる。すなわち、ガイドローラ２０は膨縮パッド３０Ａに弾圧されて、弾圧方向に回転モーメントが発生することにより、わずかに回転する。
【００２４】
この状態から、同図（３）に示すように、膨縮パッド３０Ａから空気を排出してゴムシート３２を収縮させることによりガイドローラ２０から離反させながら、同じタイミングで膨縮パッド３０Ｂに空気を供給してガイドローラ２０を弾圧する。すなわち、ガイドローラ２０は膨縮パッド３０Ａが離反した瞬間に自由回転可能になるが、この時膨縮パッド３０Ｂによって弾圧されるため、再び回転モーメントが発生して、印刷ウェブ１４の走行方向に対して逆方向にわずかに回転する。このような膨縮パッド３０の挙動は、電磁弁４１によって膨縮パッド３０へ空気の供給を適宜に行うように制御部４６によって制御される。
【００２５】
ガイドローラ２０は、膨縮パッド３０Ａ、３０Ｂの弾圧を交互に繰り返すことにより、印刷ウェブ１４の走行方向に対して逆方向に回転を続ける。そして、ガイドローラ２０は、印刷ウェブ１４の洗浄液の含浸された部分と接触することによって表面の汚れが溶解され、この汚れが乾燥した部分によって払拭洗浄される。
【００２６】
また、図３（４）に示すように、膨縮パッド３０Ａ、３０Ｂに同時に空気を充填し膨張させてガイドローラ２０を弾圧することも可能である。この時、空気の充填時間を長くすることにより、ガイドローラ２０はゴムシート３２との摩擦抵抗により回転が停止する。なお、ガイドローラ２０の制動動作は、膨縮パッド３０Ａまたは膨縮パッド３０Ｂのどちらか一方のみに空気を充填しても行うことができる。さらに、ガイドローラ２０に制動動作のみを行わせる場合には、複数の膨縮パッド３０を用いる必要はなく、ガイドローラ２０に弾圧可能な膨縮パッド３０を１個だけ設置する構成としても良い。
【００２７】
このように、ガイドローラ２０は、弾圧手段をガイドローラ２０の軸芯にオフセットして配置したことにより、弾圧状態でガイドローラ２０に回転モーメントが付与されて回転する。また、少なくとも２個の弾圧手段を設け、これらの弾圧手段によって交互にガイドローラ２０を弾圧することで、ガイドローラ２０にはそれぞれの弾圧手段による回転モーメントが連続して発生し、回転が継続して行われる。従って、弾圧手段は、ガイドローラ２０に押圧してこれを強制制動させるのみならず、交互に押圧を繰り返すことによりガイドローラ２０を強制回転させることが可能となる。
【００２８】
また、本実施の形態では、弾圧手段に膨縮パッド３０を用いており、空気の供給・排出によってガイドローラ２０からの接離動作を行っている。そのため、弾圧手段をガイドローラ２０に接離することが、空気などの給排により行われる。従って、ガイドローラ２０と印刷ウェブ１４との間に速度差を生じさせるために、ガイドローラ２０に強制駆動用のギヤなどを配設する必要がなく、またギヤを駆動させるためのモータなどの駆動源も不要となる。すなわち、複数の膨縮パッドを用いた構成としたことにより、重量のある駆動機構をガイドローラ２０の周囲から排除することができ、ガイドローラ洗浄装置１０の小型化が実現でき、またコスト面においても安価な装置を提供できる。
【００２９】
膨縮パッド３０は、図４に示すようにゴムシート３２の部分を変形させてもよい。同図（１）では、膨張したときの頂点となる山部がパッド３０の中心からオフセットさせた位置になるように形成する。これは、かまぼこ型に形成されたゴムシート３２に比べ、膨張させるとすぐに山部がガイドローラ２０に接触して弾圧効果が生じる。また、ガイドローラ２０との接触範囲が大きくなることから、押圧時に接触部分に滑りが生じることを防止できる。また同図（２）では、同図（１）において山部を形成した部分にのこぎり状の凹凸を設けている。これにより、滑りの発生を防止することができる。
【００３０】
なお、膨縮パッド３０の内部には、空気に限らずガスなどの流体を充填することも可能である。また、膨縮パッド３０に流体を供給するタイミングは、多方弁などを用いて流路の切り替えをバルブによって行うことにより制御することも可能である。
【００３１】
【発明の効果】
上記構成により、弾性手段を用いてガイドローラを押圧することにより、ガイドローラに回転モーメントが付与されてガイドローラが回転する。また弾性手段は、ガイドローラに押圧し続けることにより、両者の間に摩擦が生じてガイドローラを強制的に制動させることも可能である。このようにして、印刷ウェブとガイドローラとの間に接触状態の変化を生じさせガイドローラ表面の洗浄を行う。また、複数の弾性手段を用いることにより、これらがガイドローラに交互に回転モーメントを付与することによって、ガイドローラを連続して回転させることも可能となる。弾性手段は、空気などの流体を膨縮手段とする膨縮パッドを用いて、これを膨縮させてガイドローラに対する接離動作をなす。膨縮パッドは、膨張状態を持続させることでガイドローラの制動を行うこともできる。従って、膨縮パッドのガイドローラへの接離、強制回転、制動を、膨縮パッドを交互に膨縮させるという簡易な動作によりなすことができ、小型かつ軽量で簡易な構造による装置が実現できる。また、膨縮手段にはモータなどの駆動源が不要なことから、安価なガイドローラ洗浄装置を提供することができる。
【図面の簡単な説明】
【図１】本実施の形態に係るガイドローラ洗浄装置の断面図および側面図である。
【図２】本実施の形態に係るガイドローラ洗浄装置が用いられるオフセット輪転機の概略構成図である。
【図３】本実施の形態に係るガイドローラ洗浄装置における膨縮パッドの動作の説明図である。
【図４】本実施の形態に係る膨縮パッドの変形例である。
【符号の説明】
１０………ガイドローラ洗浄装置、１４………印刷ウェブ、１６………支持部材、２０………ガイドローラ、２２………支持軸、２４………玉継手、３０………膨縮パッド、３２………ゴムシート、３４………パッドベース、３６………パッド押さえ、４０………ポンプ、４１………電磁弁、４２………継手、４６………制御部。
【図１】
2004058600.tif 000003
【図２】
2004058600.tif 000004
【図３】
2004058600.tif 000005
【図４】
2004058600.tif 000006